(57)【要約】【課題】治具を使用せず、また、別部材を組み込まずにスペーサを仮係止位置へ移動させることができるコネクタを提供する。【解決手段】メスコネクタ１３は、メス端子１１を収容するメス端子収容室７５が形成されたメスハウジング１５と、メスハウジング１５に組み込まれ、メス端子収容室７５へのメス端子１１の挿入を可能とする仮係止位置とメス端子１１の抜け止めをする本係止位置とでメスハウジング１５に係止されるメススペーサ１９と、メスハウジング１５の外面７１に設けられ、オスコネクタ２３を嵌合状態にロックするロックアーム６９と、を備える。ロックアーム６９は、ロック解除方向へ所定以上変位させられた際、メススペーサ１９に係合してメススペーサ１９を仮係止位置へ移動させる。【選択図】図８
2014207102.tif 000002
【特許請求の範囲】
【請求項１】
端子を収容する端子収容室が形成されたハウジングと、
前記ハウジングに組み込まれ、前記端子収容室への前記端子の挿脱を可能とする仮係止位置と前記端子の抜け止めをする本係止位置とで前記ハウジングに係止されるスペーサと、
前記ハウジングの外面に設けられ、相手コネクタを嵌合状態にロックするロックアームと、を備えたコネクタであって、
前記ロックアームがロック解除方向へ所定以上変位させられた際、前記スペーサに係合して該スペーサを仮係止位置へ移動させることを特徴とするコネクタ。
【請求項２】
前記スペーサは、前記端子収容室への前記端子の挿脱方向と直交する方向に挿着され、本係止位置において前記ハウジングの外面に突出した先端部が、前記ロックアームと係合することを特徴とする請求項１に記載のコネクタ。
【発明の詳細な説明】
【技術分野】
【０００１】
本発明は、コネクタに関する。
【背景技術】
【０００２】
コネクタには、端子金具の抜けを確実に防止するために、スペーサを用いていわゆる二重係止構造を採用するものが知られている（例えば特許文献１参照）。図９に示すように、この種のコネクタは、コネクタハウジング５０１が、ハウジング本体５０３と、リテーナ（スペーサ）５０５と、を備える。ハウジング本体５０３は、後端面から挿入される端子金具５０７を収容可能な複数の端子収容室５０９を有する。また、ハウジング本体５０３は、端子収容室５０９の長さ方向に対し交差するようにして外周壁から凹設された空洞部５１１を有する。リテーナ５０５は、空洞部５１１に対し浅い挿入位置において端子金具５０７の挿入を許容する仮係止位置と、より深い挿入位置において端子金具５０７を抜け止め可能とする本係止位置とでハウジング本体５０３に係止可能となる。
【０００３】
このコネクタでは、リテーナ５０５が仮係止位置で端子金具５０７が端子収容室５０９に挿入される。その後、人手によりリテーナ５０５が本係止位置に押し込まれ、可撓腕５１３が撓んで本係止爪（不図示）が本係止突起（不図示）を乗り越えて本係止状態となる。これにより、リテーナ５０５の二次係止突起５１５が端子金具５０７の段部に係止した二次係止となる。
【０００４】
また、特許文献２に開示されるコネクタは、図１０に示すように、ハウジング５１７には、端子金具５１９を挿入するための端子収容室５２１が形成され、且つこの端子収容室５２１を横切るようにしてリテーナ５２３が組み込まれる。リテーナ５２３は、端子収容室５２１を全開して端子金具５１９の挿入を許す開放位置と、端子収容室５２１に突出して端子金具５１９と係合する係止位置との間を変位できるように組み込まれる。ハウジング５１７の内方にはばね５２５が配され、ばね５２５はリテーナ５２３を係止位置へ付勢している。更に、リテーナ５２３には案内面５２７が形成されており、端子金具５１９が挿入されるとリテーナ５２３を係止位置から開放位置へと変位させて端子収容室５２１を自動的に開放させる。
【０００５】
このコネクタでは、端子金具５１９を端子収容室５２１へ挿入するに先立ち、リテーナ５２３がばね５２５によって係止位置へ付勢されているため、リテーナ５２３の係止部は端子収容室５２１へ進入した状態となっている。この状態のままで、端子収容室５２１へ端子金具５１９を挿入すると、端子金具５１９はリテーナ５２３の案内面５２７に摺接し、リテーナ全体をばね５２５に抗して開放位置へ変位させる。これによって、端子収容室５２１が開放される。そして、端子金具５１９が正規の位置まで挿入されると、リテーナ５２３は係止位置へ復帰して端子金具５１９と係合して抜け止めがされる。
【先行技術文献】
【特許文献】
【０００６】
【特許文献１】特開２００１−３３２３３５号公報
【特許文献２】特開平７−２４５１４３号公報
【発明の概要】
【発明が解決しようとする課題】
【０００７】
しかしながら、図９に示した従来のコネクタハウジング５０１は、リテーナ５０５を仮係止位置へ解除する際、治具を用いてリテーナ５０５をハウジング本体５０３の仮係止位置に戻す工程が必要である。このため、メンテナンス作業に時間がかかる。
一方、図１０に示した従来のコネクタは、操作片５２９を押圧することで治具を用いずにリテーナ５２３を開放位置へ変位可能にできる。その反面、リテーナ５２３を係止位置へ付勢するための別部材であるばね５２５が必要となる。このため、部品点数が増えてコネクタの組立が煩雑となると供に、コネクタが大型化する等の問題がある。
【０００８】
本発明は上記状況に鑑みてなされたもので、その目的は、治具を使用せず、また、別部材を組み込まずにスペーサを仮係止位置へ移動させることができるコネクタを提供することにある。
【課題を解決するための手段】
【０００９】
本発明に係る上記目的は、下記構成により達成される。
（１）  端子を収容する端子収容室が形成されたハウジングと、前記ハウジングに組み込まれ、前記端子収容室への前記端子の挿脱を可能とする仮係止位置と前記端子の抜け止めをする本係止位置とで前記ハウジングに係止されるスペーサと、前記ハウジングの外面に設けられ、相手コネクタを嵌合状態にロックするロックアームと、を備えたコネクタであって、前記ロックアームがロック解除方向へ所定以上変位させられた際、前記スペーサに係合して該スペーサを仮係止位置へ移動させることを特徴とするコネクタ。
【００１０】
上記（１）の構成のコネクタによれば、スペーサがハウジングに仮係止位置で装着された状態で、端子が端子収容室に挿入される。スペーサが本係止位置へ移動されると、スペーサが端子に当接して、端子の後抜けが阻止される。そして、相手コネクタと嵌合されたコネクタは、相手コネクタとの嵌合ロックを解除する際、ロックアームの操作部が押圧されることにより、ロックアームの相手コネクタに対するロックが解除される。ロックアームが更にロック解除方向に押圧されると、ロックアームがスペーサに係合して該スペーサを本係止位置から仮係止位置へと移動させる。スペーサが仮係止位置へ移動されることで、端子は端子収容室からの抜き出しが可能となる。
【００１１】
（２）  上記（１）の構成のコネクタであって、前記スペーサは、前記端子収容室への前記端子の挿脱方向と直交する方向に挿着され、本係止位置において前記ハウジングの外面に突出した先端部が、前記ロックアームと係合することを特徴とするコネクタ。
【００１２】
上記（２）の構成のコネクタによれば、スペーサが、端子のハウジングへの挿脱方向と直交する方向で、ハウジングに押し込まれて挿着される。ロックアームは、ロックアームの相手コネクタに対するロックが解除される際、ハウジングの外面に接近する。ハウジングの外面から突出するスペーサの押し込み方向の先端部は、ロックアームに対応してハウジングの外面に配置されている。従って、ロックアームが更に押し込まれることで、ロック解除方向へ所定以上変位したロックアームがスペーサの先端部をハウジング内へ押し込むことになる。ロックアームに押し込まれたスペーサは、本係止位置から仮係止位置へと移動される。このように、ロックアームのロック解除方向とスペーサの仮係止位置への移動方向が一致することで、ロック解除力が効率よく作用する。その結果、スペーサを仮係止位置へ戻す際の押圧力を小さくすることができる。
【発明の効果】
【００１３】
本発明に係るコネクタによれば、治具を使用せず、また、別部材を組み込まずにスペーサを仮係止位置へ移動させることができる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るコネクタ及び相手コネクタの分解斜視図である。
【図２】（ａ）は図１に示した相手コネクタの端子挿入前の縦断面図、（ｂ）は（ａ）に示した相手コネクタの端子収容後の縦断面図である。
【図３】（ａ）は図１に示したコネクタの端子挿入前の縦断面図、（ｂ）は（ａ）に示したコネクタの端子収容後の縦断面図である。
【図４】（ａ）は図２（ａ）に示した相手コネクタにおけるオススペーサ仮係止状態の嵌合方向直交断面図、（ｂ）は図３（ａ）に示したコネクタにおけるメススペーサ仮係止状態の嵌合方向直交断面図である。
【図５】（ａ）は図２（ｂ）に示した相手コネクタにおけるオススペーサ本係止状態の嵌合方向直交断面図、（ｂ）は図３（ｂ）に示したコネクタにおけるメススペーサ本係止状態の嵌合方向直交断面図である。
【図６】（ａ）は図５（ａ）に示した相手コネクタの縦断面図、（ｂ）は図５（ｂ）に示したコネクタの縦断面図である。
【図７】（ａ）は本発明の一実施形態に係るコネクタと相手コネクタの嵌合前の側面図、（ｂ）は（ａ）に示したコネクタと相手コネクタの嵌合後の縦断面図、（ｃ）は嵌合途中のロックアーム近傍の拡大図である。
【図８】（ａ）は図７（ｂ）に示したコネクタと相手コネクタのロック解除時の縦断面図、（ｂ）はメススペーサが仮係止位置となったコネクタと相手コネクタの縦断面図である。
【図９】（ａ）はリテーナを備える従来のハウジングの分解斜視図、（ｂ）は（ａ）に示したリテーナが本係止位置となったハウジングの縦断面図である。
【図１０】（ａ）はリテーナを備える他の従来のハウジングの分解斜視図、（ｂ）はリテーナが本係止位置となったハウジングの縦断面図である。
【発明を実施するための形態】
【００１６】
以下、本発明に係る実施形態を図面を参照して説明する。
図１に示すように、本発明の一実施形態に係るコネクタは、端子であるメス端子１１を収容するメスコネクタ１３である。メスコネクタ１３は、メスハウジング（ハウジング）１５に、メススペーサ（スペーサ）１９を備える。このメスコネクタ１３は、オス端子２１を収容する相手コネクタであるオスコネクタ２３と嵌合してメス端子１１がオス端子２１と導通接続される。オスコネクタ２３のオスハウジング２５は、オススペーサ２９を備える。
【００１７】
図２（ａ）及び（ｂ）に示すように、オス端子２１は、導電性金属からなり、先端側からタブ状電気接触部３１、ランス係止部３３、スペーサ当接部３５、導体圧着部３７、絶縁被覆圧着部３９が連設されている。タブ状電気接触部３１は、メス端子１１に挿入されてメス端子１１と導通接続される。ランス係止部３３は、後方からランス４１に係止された一次係止状態となり、オス端子２１の後抜けが規制される。スペーサ当接部３５は、オススペーサ２９に形成された二次係止部４３が当接された二次係止状態となる。導体圧着部３７は、絶縁被覆４５の除去された電線４７の導体に圧着される。絶縁被覆圧着部３９は、電線４７が絶縁被覆４５の外周から圧着され、これによりオス端子２１が電線４７の端末に固定される。
【００１８】
オスハウジング２５及びオススペーサ２９は、絶縁性合成樹脂により成形される。オスハウジング２５の前端側にはフード部４９が形成され、フード部４９はメスコネクタ１３のフード進入部５１（図１参照）を内方に受け入れる。オスハウジング２５の後端側にはオス端子装着開口部５３が形成され、オス端子装着開口部５３は装着時のオス端子２１の挿入を可能とする。フード部４９の上壁部には、ロックアーム進入凹部５５が下向きに開口して形成される。ロックアーム進入凹部５５は、下向きに突出する突起状のロック受け部５７を有する。
【００１９】
オスハウジング２５にはオス端子収容室５９が複数画成される。それぞれのオス端子収容室５９は、前方がオス端子突出孔６１となってフード部４９の内方に開口し、後方がオス端子装着開口部５３に通じる。それぞれのオス端子収容室５９には、弾性係止片であるランス４１が形成されている。ランス４１は、オス端子収容室５９に、正規位置で挿入されたオス端子２１のランス係止部３３を係止し、オス端子２１のオス端子収容室５９からの後抜けを規制する。
【００２０】
オスハウジング２５の一側面（図２の下側の面）には、オススペーサ挿入口６３が開口されている。オススペーサ挿入口６３は、オススペーサ２９をオスハウジング２５の内方へ組み込み可能とする。オススペーサ挿入口６３は、オスハウジング２５の下面側からそれぞれのオス端子収容室５９の下側に二次係止部４３が突出可能となる深さで凹設されている。
【００２１】
図３（ａ）及び（ｂ）に示すように、メス端子１１は、導電性金属からなり、先端側から箱状電気接触部６５、ランス係止部３３、スペーサ当接部３５、導体圧着部３７、絶縁被覆圧着部３９が連設されている。箱状電気接触部６５は、オス端子２１のタブ状電気接触部３１を受け入れてオス端子２１と導通接続される。ランス係止部３３は、後方からランス４１に係止された一次係止状態となり、メス端子１１の後抜けが規制される。スペーサ当接部３５は、メススペーサ１９に形成された二次係止部４３が当接された二次係止状態となる。導体圧着部３７は、絶縁被覆４５の除去された電線４７の導体に圧着される。絶縁被覆圧着部３９は、電線４７が絶縁被覆４５の外周から圧着され、これによりメス端子１１が電線４７の端末に固定される。
【００２２】
メスハウジング１５及びメススペーサ１９は、絶縁性合成樹脂により成形される。メスハウジング１５の前端側にはフード進入部５１が形成され、フード進入部５１はオスコネクタ２３のフード部４９の内方に挿入される。メスハウジング１５の後端側にはメス端子装着開口部６７が形成され、メス端子装着開口部６７は装着時のメス端子１１の挿入を可能とする。フード進入部５１の上壁部には、片持ち弾性腕状のロックアーム６９が形成される。ロックアーム６９は、メスハウジング１５の外面７１に対向する側と反対側にロック爪７３が突設される。このロック爪７３がオスコネクタ２３の上記ロック受け部５７と係合することにより、ロックアーム６９は、オスコネクタ２３とメスコネクタ１３を嵌合状態にロックする。ロックアーム６９は、外面７１に接近する方向に押されることで、ロック受け部５７からロック爪７３が離反して、オスコネクタ２３とメスコネクタ１３の嵌合ロック状態を解除する。
【００２３】
メスハウジング１５にはメス端子収容室７５が複数画成される。それぞれのメス端子収容室７５は、前方がオス端子進入孔７７となってフード進入部５１の前面に開口し、後方がメス端子装着開口部６７に通じる。それぞれのメス端子収容室７５には、弾性係止片であるランス４１が形成されている。ランス４１は、メス端子収容室７５に、正規位置で挿入されたメス端子１１のランス係止部３３を係止し、メス端子１１のメス端子収容室７５からの後抜けを規制する。
【００２４】
メスハウジング１５の一側面（図３の下側の面）には、メススペーサ挿入口７９が開口されている。メススペーサ挿入口７９は、メススペーサ１９をメスハウジング１５の内方へ組み込み可能とする。メススペーサ挿入口７９は、メスハウジング１５の下面側からそれぞれのメス端子収容室７５の下側に二次係止部４３が突出可能となる深さで凹設されている。
【００２５】
図４（ａ）に示すように、オスハウジング２５の両側壁部には、下側から上側に延在する係止側板挿入凹部８１が形成されている。係止側板挿入凹部８１の凹部内面には、第１係止受け部８３と第２係止受け部８５とがオススペーサ挿入方向の手前側から順に突設されている。第１係止受け部８３は、スペーサ挿入方向の手前側がガイド斜面８７となり、その反対側が仮係止垂直面８９となる。第２係止受け部８５は、スペーサ挿入方向の手前側がガイド斜面８７となり、その反対側が本係止斜面９１となる。これら第１係止受け部８３及び第２係止受け部８５は、オススペーサ２９を、仮係止位置及び本係止位置に保持するためのものである。
【００２６】
また、図４（ｂ）に示すように、メスハウジング１５の両側壁部には、下側から係止側板挿入凹部８１が形成されている。係止側板挿入凹部８１の凹部内面には、第１係止受け部８３と第２係止受け部８５とがメススペーサ挿入方向の手前側から順に突設されている。第１係止受け部８３は、スペーサ挿入方向の手前側がガイド斜面８７となり、その反対側が仮係止垂直面８９となる。第２係止受け部８５は、スペーサ挿入方向の手前側がガイド斜面８７となり、その反対側が本係止斜面９１となる。これら第１係止受け部８３及び第２係止受け部８５は、メススペーサ１９を、仮係止位置及び本係止位置に保持するためのものである。
【００２７】
オススペーサ２９及びメススペーサ１９の両側には、係止側板９３が対向して配設されている。この係止側板９３の内側対向面の上端には、図４に示す係止爪９５が突設される。この係止爪９５は、オススペーサ２９及びメススペーサ１９がオススペーサ挿入口６３及びメススペーサ挿入口７９にそれぞれ挿入されると、上記第１係止受け部８３のガイド斜面８７に乗り上げた後、図４（ａ），（ｂ）に示すように、仮係止垂直面８９に係止されて、第１係止受け部８３と第２係止受け部８５との間に配置される。この状態が、オススペーサ２９及びメススペーサ１９の仮係止位置となる。この仮係止位置においては、図２及び図３に示すように、二次係止部４３がオス端子収容室５９及びメス端子収容室７５へ進入していない。オススペーサ２９及びメススペーサ１９が更に挿入されると、係止爪９５は第２係止受け部８５のガイド斜面８７を乗り越えた後、図５（ａ），（ｂ）に示す本係止斜面９１に係止される。この状態が、オススペーサ２９及びメススペーサ１９の本係止位置である。
【００２８】
オススペーサ２９及びメススペーサ１９には、オス端子収容室５９及びメス端子収容室７５の下側に配置可能となる上記二次係止部４３が設けられている。オススペーサ２９及びメススペーサ１９は、図５に示す本係止位置になると、この二次係止部４３が図６に示すように、オス端子２１及びメス端子１１のスペーサ当接部３５に当たり、オス端子２１及びメス端子１１の後方への抜けを阻止する。
このように、オススペーサ２９及びメススペーサ１９は、オスハウジング２５及びメスハウジング１５に組み込まれ、オス端子収容室５９及びメス端子収容室７５への端子挿入を可能とする仮係止位置（図４参照）と、端子抜け止めをする本係止位置（図５参照）とで係止される。
【００２９】
ここで、特にメススペーサ１９は、メス端子収容室７５へのメス端子１１の挿脱方向と直交する方向に挿着されている。なお、本実施形態においては、オススペーサ２９も同様となる。このメススペーサ１９は、本係止位置においてメスハウジング１５の外面７１に突出した押し込み方向の先端部である突起部９７が、ロックアーム６９と係合する（図６（ｂ）参照）。ロックアーム６９にはロック爪７３の反対側（即ち、外面７１に対向する側）に押下部９９が設けられている。押下部９９は、ロックアーム６９がロック解除方向に操作される際、外面７１に接近する。外面７１から突出するメススペーサ１９の突起部９７は、この押下部９９に対応してメスハウジング１５の外面７１に配置されている。ロックアーム６９は、ロック解除方向へ所定以上変位させられた際、メススペーサ１９の突起部９７に押下部９９が係合して、メススペーサ１９を仮係止位置へ移動させるように構成されている。
【００３０】
次に、上記構成を有するコネクタの作用を説明する。
本実施形態に係るメスコネクタ１３は、メスハウジング１５にメススペーサ１９を備えている。メススペーサ１９は、図３（ａ）及び図４（ａ）に示したように、メス端子１１がメス端子収容室７５に挿入される前に、メスハウジング１５に仮係止位置に装着される。オスコネクタ２３も同様に、図３（ｂ）及び図４（ｂ）に示したように、オススペーサ２９が仮係止位置に装着される。
【００３１】
仮係止位置のメススペーサ１９は、メス端子１１のメス端子収容室７５への挿入を許容する。この状態でメス端子１１がメス端子収容室７５に挿入されると、メス端子１１は、メス端子収容室７５に設けられたランス４１によって係止された一次係止状態とされ、後抜けが規制される。更に、メススペーサ１９が本係止位置へ移動されると、メススペーサ１９の二次係止部４３がメス端子１１のスペーサ当接部３５に当接して、メス端子１１の後抜けが阻止される。これにより、メス端子１１が図６（ｂ）に示すように、二次係止状態とされる。オスコネクタ２３も同様にして図６（ａ）に示すように、オス端子２１が二次係止状態とされる。
【００３２】
図７（ａ）に示すように、メスコネクタ１３は、メス端子１１（図６参照）が二次係止された状態でオスコネクタ２３と嵌合される。メスコネクタ１３とオスコネクタ２３とが嵌合すると、図７（ｂ）に示すように、ロックアーム６９のロック爪７３が、オスコネクタ２３のロック受け部５７に係止されて、メスコネクタ１３とオスコネクタ２３が嵌合状態でロックされる。
ロックアーム６９は、ロック受け部５７を乗り越える際、外面７１へ接近移動される。このコネクタ嵌合時におけるロックアーム６９のロック解除方向の変位は、図７（ｃ）に示すように、所定未満（所定の変位ｄ未満）なので、メススペーサ１９が仮係止位置へ移動させられることはない。
【００３３】
そして、メス端子１１に交換の必要等が生じた場合、メスコネクタ１３は、ロックアーム６９の操作部７４が押下されて、オスコネクタ２３との嵌合ロックが解除される。即ち、図８（ａ）に示すように、ロックアーム６９の自由端を押圧し、ロックアーム６９のロック爪７３をオスコネクタ２３のロック受け部５７から係合解除することにより、嵌合ロックの解除が行われる。この際、ロック爪７３の係合解除方向には、本係止位置に押し込まれたメススペーサ１９の押し込み方向の突起部９７が、メスハウジング１５の外面７１から突出して配置されている。
【００３４】
ロックアーム６９が更にロック解除方向に押圧されると、図８（ｂ）に示すように、ロックアーム６９に設けられた押下部９９がメススペーサ１９に係合して突起部９７を押圧する。押下部９９に突起部９７が押圧されたメススペーサ１９は、本係止位置から仮係止位置へと移動させられる。即ち、メスコネクタ１３のロック解除と同時にメススペーサ１９も仮係止位置へ移動させられる。これにより、ロックアーム６９をロック解除方向へ所定以上変位させるだけで、治具を用いることなくメススペーサ１９を仮係止位置へ移動させることができる。メススペーサ１９を仮係止位置へ移動させたロックアーム６９は、押下部９９が外面７１に当接してそれ以上の押下が規制される。即ち、外面７１は、ロックアーム６９の過大変位防止面となっている。
【００３５】
また、本実施形態のメスコネクタ１３では、メススペーサ１９が、メス端子１１のメスハウジング１５への挿脱方向と直交する方向で、メスハウジング１５に押し込まれて挿着される。メスハウジング１５に挿着されたメススペーサ１９は、押し込み方向の突起部９７がメスハウジング１５の外面７１から突出する。
【００３６】
一方、メスハウジング１５の外面７１には、片持ち弾性腕状のロックアーム６９が設けられている。ロックアーム６９は、メスハウジング１５の外面７１に対向する側と反対側にロック爪７３が突設されており、このロック爪７３がオスコネクタ２３のロック受け部５７と係合する。つまり、ロックアーム６９は、外面７１に接近方向に押されることで、ロック受け部５７からロック爪７３が離反してロック解除される。
【００３７】
ロックアーム６９の押下部９９は、ロックアーム６９のオスコネクタ２３に対するロックが解除される際、メスハウジング１５の外面７１に接近する。メスハウジング１５の外面７１から突出するメススペーサ１９の突起部９７は、ロックアーム６９の押下部９９に対応してメスハウジング１５の外面７１に配置されている。
【００３８】
従って、ロック受け部５７からロック爪７３の係止が解除されたロックアーム６９は、更に押し込まれることで、ロック解除方向へ所定以上変位したロックアーム６９の押下部９９がメススペーサ１９の突起部９７をメスハウジング１５内へ押し込むことになる。このように、ロックアーム６９のロック解除方向とメススペーサ１９の仮係止位置への移動方向が一致することで、ロック解除力が効率よく作用する。その結果、メススペーサ１９を仮係止位置へ戻す際の押圧力を小さくすることができる。
【００３９】
なお、上記した実施形態ではメス端子１１を収容するメスコネクタ１３にロックアーム６９が設けられる構成を説明したが、本発明に係るコネクタは、これとは逆にオス端子２１を収容するオスコネクタにロックアームが設けられる構成であってもよい。この場合、ロックアームをロック解除方向へ所定以上変位させることで、オススペーサに係合させ、オススペーサを仮係止位置へ移動させる構成とする。
【００４０】
従って、本実施形態に係るメスコネクタ１３によれば、治具を使用せず、また、別部材を組み込まずにメススペーサ１９を仮係止位置へ移動させることができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４１】
１１…メス端子（端子）
１３…メスコネクタ（コネクタ）
１５…メスハウジング（ハウジング）
１９…メススペーサ（スペーサ）
２３…オスコネクタ（相手コネクタ）
６９…ロックアーム
７１…外面
７５…メス端子収容室（端子収容室）
９７…突起部（先端部）
【図１】
2014207102.tif 000003
【図２】
2014207102.tif 000004
【図３】
2014207102.tif 000005
【図４】
2014207102.tif 000006
【図５】
2014207102.tif 000007
【図６】
2014207102.tif 000008
【図７】
2014207102.tif 000009
【図８】
2014207102.tif 000010
【図９】
2014207102.tif 000011
【図１０】
2014207102.tif 000012